(57)【要約】  【課題】複数の並列配置部材を１本のタイロッド又はタイケーブルで連結できるようにするとともに、前記並列配置部材の位置調整が容易に行えるようにすることで施工の省力化を図る。  【解決手段】前記ケーブル５、６に対し、前記パネル支持装置２又は室内側斜材連結金具３の対応部位に予め外嵌状態で圧着部材１０、１０…を固定しておき、内部に前記圧着部材１０の収容空間が形成されるとともに、外面にネジ溝が形成された接続用螺合金具１１を、前記圧着部材１０を囲繞するように設置するとともに、該接続用螺合金具１１は設置状態で前記圧着部材１０の軸芯周りに回転自在に保持され、前記パネル支持装置２又は室内側斜材連結金具３の雌ネジ孔１２ａ、２２ａに前記接続用螺合金具１１が螺合接続された構造とする。【選択図】図４
2006283477.tif 000002
【特許請求の範囲】
【請求項１】
間隔をおいて並列配置された複数の並列配置部材をタイロッド又はタイケーブルによって相互に連結するための連結固定構造であって、
前記タイロッド又はタイケーブルに対し、前記並列配置部材の対応部位に予め外嵌状態で圧着部材を固定しておき、内部に前記圧着部材の収容空間が形成されるとともに、外面にネジ溝が形成された接続用螺合金具を、前記圧着部材を囲繞するように設置するとともに、該接続用螺合金具は設置状態で前記圧着部材の軸芯周りに回転自在に保持され、前記並列配置部材の雌ネジ孔に前記接続用螺合金具が螺合接続されたことを特徴とする並列配置部材の連結固定構造。
【請求項２】
前記圧着部材は、内部にタイロッド又はタイケーブルが挿通された断面円形の筒状部材とされる請求項１記載の並列配置部材の連結固定構造。
【請求項３】
前記接続用螺合金具は、縦方向に２分割され、締結具によって一体化される半割構造の金具とされる請求項１、２いずれかに記載の並列配置部材の連結固定構造。
【発明の詳細な説明】
【技術分野】
【０００１】
本発明は、間隔をおいて並列配置された複数の並列配置部材をタイロッド又はタイケーブルによって相互に連結するための連結固定構造に関する。
【背景技術】
【０００２】
従来より、例えばカーテンウォールなどにおいては、横方向に間隔をおいて並列配置された複数の縦方向配向の支持部材や方立などに関して、これら縦方向支持部材や方立に作用する横方向荷重に対する抵抗力を持たせるために、前記並列配置された縦方向支持部材や方立をタイロッド、タイケーブルやタイバーなどの部材を用いて相互に連結する構造が採られることがある。
【０００３】
例えば、下記特許文献１では、図１２に示されるように、室内側にトラス構造体５０を配置し、このトラス構造体５０に固定された無目５１、５１…を介してカーテンウォールパネルを支持するようにしたカーテンウォール構造が記載されている。前記トラス構造体５０は、前側弦材５２と後側弦材５３とが離間して配置され、これら両弦材５２、５３がワーレントラス状に配設されたラチス材（斜材）５４、５４…により連結されたもので、各トラス構造体５０，５０を相互に連結するためにタイロッド又はタイケーブル５６が使用される。
【０００４】
前記タイロッド又はタイケーブル５６の連結構造は、図１３に示されるように、前記ラチス材５４，５４を軸支する支軸５５の両側にそれぞれネジ部５５ａ、５５ａを備えるようにし、一方タイロッド又はタイケーブル５６は端部にソケット５７を挿通した後、端部に前記ソケット５７の挿通孔よりも大径の定着部５６ａが固着され、外面にネジ溝が形成された連結カプラー５８を前記支軸５５のネジ部５５ａに螺合させるとともに、この連結カプラー５８の他端側に前記ソケット５７を螺合連結することにより行われている。タイロッド又はタイケーブル５６の張力調整は、たとえば図示しないターンバックルをタイロッド又はタイケーブル５６の中間部に取付けて行うことができる。
【０００５】
また、下記特許文献２では、図１４に示されるように、パネルを支持するために縦方向に間隔をおいて並列配置された複数の横方向部材（無目）６０を支持するために、縦方向に配置したタイロッド又はタイケーブル５６によって相互に連結して支持する構造が開示されている。
【特許文献１】特開２００２−２０１７５９号公報
【特許文献２】特開２０００−３４５６４６号公報
【発明の開示】
【発明が解決しようとする課題】
【０００６】
前述したように、従来のタイロッド又はタイケーブル５６の連結構造は、水平方向に並んだ縦方向支持部材又は方立、縦方向に並んだ横方向部材等の部材間に１本づつ前記タイロッド又はタイケーブル５６を連結していく構造となっているため、施工が煩雑で多くの手間と時間が掛かるとともに、前記タイロッド又はタイケーブル５６に導入される張力の調整にも多くの手間が掛かるなどの問題があった。
【０００７】
そこで本発明の主たる課題は、間隔をおいて並列的に配置された複数の並列配置部材をタイロッド又はタイケーブルによって相互に連結固定するための連結固定構造において、複数の並列配置部材を１本のタイロッド又はタイケーブルで連結できるようにするとともに、前記並列配置部材の位置調整が容易に行えるようにすることで施工の省力化を図ることにある。
【課題を解決するための手段】
【０００８】
前記課題を解決するために請求項１に係る本発明として、間隔をおいて並列配置された複数の並列配置部材をタイロッド又はタイケーブルによって相互に連結するための連結固定構造であって、
前記タイロッド又はタイケーブルに対し、前記並列配置部材の対応部位に予め外嵌状態で圧着部材を固定しておき、内部に前記圧着部材の収容空間が形成されるとともに、外面にネジ溝が形成された接続用螺合金具を、前記圧着部材を囲繞するように設置するとともに、該接続用螺合金具は設置状態で前記圧着部材の軸芯周りに回転自在に保持され、前記並列配置部材の雌ネジ孔に前記接続用螺合金具が螺合接続されたことを特徴とする並列配置部材の連結固定構造が提供される。
【０００９】
上記請求項１記載の発明においては、タイロッド又はタイケーブルに対し、並列配置部材の対応部位に予め圧着部材を設けておき、前記タイロッド又はタイケーブルを張設した状態で、前記圧着部材を囲繞するように、外面にネジ溝が形成された接続用螺合金具を設ける。この接続用螺合金具は、設置状態で前記圧着部材（タイロッド又はタイケーブル）の軸芯回りに回転可能となっており、並列配置部材に形成された雌ネジ孔に対して螺合接続されることにより前記並列配置部材が所定位置に配置される。なお、前記配列配置部材の雌ネジ孔には予めタイロッド又はタイケーブルを挿通しておく必要があり、かつ前記並列配置部材の位置調整は、前記接続用螺合金具の螺合量（進入量）を調整することによって行うことができる。
【００１０】
請求項２に係る本発明として、前記圧着部材は、内部にタイロッド又はタイケーブルが挿通された断面円形の筒状部材とされる請求項１記載の並列配置部材の連結固定構造が提供される。
【００１１】
前記請求項２記載の本発明では、前記圧着部材として、内部にタイロッド又はタイケーブルが挿通された断面円形の筒状部材を用いるものである。前記圧着部材は、接続用螺合金具が位置ズレせずに固定され、かつ接続用螺合金具が設置状態で軸芯回りに回転自在に保持される形状、例えば円筒形、球形、中間に細径部／太径部を有する多段円筒形等とすることが可能であるが、一般的には形状が単純な前記円筒形の圧着部材を用いるのが望ましい。
【００１２】
請求項３に係る本発明として、前記接続用螺合金具は、縦方向に２分割され、締結具によって一体化される半割構造の金具とされる請求項１、２いずれかに記載の並列配置部材の連結固定構造が提供される。
【００１３】
上記請求項３記載の本発明では、前記接続用螺合金具として、縦方向に２分割され、締結具によって一体化される半割構造の金具を用いるものである。前記接続用螺合金具を縦割りの分割構造とすることにより、前記圧着部材を左右から挟み込むようにし、両者をボルト・ナット等からなる締結具により一体化することができる。
【発明の効果】
【００１４】
以上詳説のとおり本発明によれば、間隔をおいて並列的に配置された複数の並列配置部材をタイロッド又はタイケーブルによって相互に連結するための連結固定構造において、複数の並列配置部材を１本のタイロッド又はタイケーブルで連結できるようになるとともに、前記並列配置部材の位置調整が容易に行えるようになるため、施工が省力化できるようになる。
【発明を実施するための最良の形態】
【００１５】
以下、本発明の実施の形態について図面を参照しながら詳述する。
図１はカーテンウォールの姿図、図２は図１のII−II線矢視図、図３は図１のIII−III線矢視図、図４は要部拡大縦断図、図５はその横断面図である。
【００１６】
図１に示されるように、本カーテンウォール構造１は、ビル等の外壁面において、上下左右方向に隣接配置される板ガラス等のパネルＰ、Ｐ…がフレーム枠状のパネル支持部材を用いることなく、各パネルＰ、Ｐ…が、各隅部が突き合わされるコーナー交点部に配置されたパネル支持装置２，２…によって支持されることにより、実質的にパネルＰ、Ｐ…のみによって外壁を構成するようにしたものである。
【００１７】
以下、具体的に前記カーテンウォール構造１について詳述すると、
図２及び図３に示されるように、本カーテンウォール構造１においては、各パネルＰ、Ｐ…の縦目地に対応する室内側には、パネルのコーナー交点部に配置されるパネル支持装置２，２…と、これら各パネル支持装置２，２…から室内側に向けて斜め上方及び斜め下方に延びる斜材４，４…と、前記斜材４，４の連結部に配置される室内側斜材連結金物３，３…と、前記パネル支持装置２，２…に挿通状態で配置され、各パネル支持装置２，２…を吊持する室外側ケーブル５と、前記各室内側斜材連結金物３，３…に挿通状態で配置されるとともに、各室内側斜材連結金物３，３…を吊持する室内側ケーブル６とからなるカーテンウォール支持装置がそれぞれ設けられ、各パネルＰ、Ｐ…が支持されるようになっている。なお、水平方向に隣接する前記パネル支持装置２，２…の間には、図３に示されるように、水平方向に沿って水平タイロッド又はケーブル７，７…が設けられ、横方向荷重に抵抗するとともに、座屈防止が図られている。また、前記室外側ケーブル５及び室内側ケーブル６は、図２に示されるように、上下端がそれぞれケーブル定着装置８，９（下端側のみ図示）に固定されており、所定の緊張力が導入されるようになっている。
【００１８】
前記パネル支持装置２は、図４及び図５に示されるように、前記室外側ケーブル５に固定される圧着部材１０と、内部に前記圧着部材１０の収容空間が形成されるとともに、外面にネジ溝が形成され、前記圧着部材１０を囲繞するように設置されるとともに、設置状態で前記圧着部材１０の軸芯周りに回転自在に保持される接続用螺合金具１１と、この接続用螺合金具１１が螺合連結されたベース金物１２と、このベース金物１２と接続されるとともに、室外側ではパネルＰ、Ｐを支持し、かつ室内側では斜材４，４が連結される支持装置本体１３とから構成されている。ここで、前記ベース金物１２及び支持装置本体１３が本発明の並列配置部材を構成する部材である。
【００１９】
前記圧着部材１０は、詳細には図７に示されるように、室外側ケーブル５におけるパネル支持装置２対応部位に予め外嵌状態で固定される断面円形の筒状部材であり、前記室外側ケーブル５を中空部に挿通した後、外部から圧力を掛けることにより所定位置に夫々固定される。
【００２０】
前記接続用螺合金具１１は、図７に示されるように、内部に前記圧着部材１０の収容空間１１ａが形成されるとともに、外面にネジ溝１１ｂが形成され、前記圧着部材１０を囲繞するように設置される、縦方向に２分割の半割部材１１Ａ、１１Ｂから構成される部材である。より具体的には、前記半割部材１１Ａ（１１Ｂ）は、略半割円柱形状を成し、合わせ面側に半円形断面の圧着部材収容空間１１ａが形成されるとともに、外面にネジ溝１１ｂが形成され、かつ上部にケーブル挿通用の半円切欠き１１ｃが形成された蓋部１１ｄを有するとともに、下部にケーブル挿通用の半円切欠き１１ｅが形成された底部１１ｆを有する部材であり、前記圧着部材１０を両側から挟み込み囲繞するように設置した後、ビス１４及びナット１５により両半割部材１１Ａ、１１Ｂを結合する。この接続用螺合部材１１は前記圧着部材１０に対する設置状態では、該圧着部材１０の軸芯回り（ケーブル軸芯回り）に回転自在となっている。
【００２１】
前記ベース金具１２は、同図７に示されるように、略矩形ブロック状の部材であり、上下方向に貫通して前記接続用螺合金具１１の雌ネジ孔１２ａが形成され、室外側面の下部に段状突起１２ｂ、１２ｂが形成されるとともに、室外側面にボルト孔１２ｃ，１２ｃが形成されている。
【００２２】
前記支持装置本体１３は、図９に示されるように、上下方向に貫通して前記ベース金具１２を収容可能な空間１３ａと、相対的に室外側に隔壁１３ｂ、１３ｃによって仕切られた左右対のパネル受け台設置空間１３ｅ，１３ｅを有する形材であり、室外側面には前記パネル受け台設置空間１３ｅ、１３ｅに臨む開口１３ｆ，１３ｆが形成されるとともに、中央に室外側に突出して縦方向配向のブラケット状の支持部材１３ｇが設けられている。この支持部材１３ｇはパネルの設置状態でパネルＰの室外側面よりも外方に突出するように形成されており、先端部にはＴ字状のフランジ部１３ｊを有し、後述するパネル押え１７が取付けられるようになっている。また、室内面側には斜材４の連結のために左右一対のブラケット板１３ｉ、１３ｉが設けられている。なお、前記隔壁１３ｂの下部には矩形状の切欠き１３ｈが形成されている。
【００２３】
前記室外側ケーブル５に設けられた接続用螺合金具１１に前記ベース金具１２を連結するには、図８に示されるように、予め室外側ケーブル５をベース金具１２の雌ネジ孔１２ａに挿通しておき、前記接続用螺合金具１１をベース金具１２の雌ネジ孔１２ａに回転させながら螺合させる。この際、前記接続用螺合金具１１の螺合量を調整することによりベース金具１２の上下方向位置の調整が成される。なお、上下位置調整及びその微調整は後述の支持装置本体１３と一体化した後で行っても良いし、パネルＰ、Ｐ…を支持した後で行うことも可能である。
【００２４】
次に、図９に示されるように、支持装置本体１３の空間１３ａに室外側ケーブル５を挿通させた状態で、前記ベース金具１２の上方側から落し込み、ベース金具１２と一体化とする。この際、前記ベース金具１２の段状突起１２ｂ、１２ｂが前記支持装置本体１３の隔壁１３ｂの下部に形成された切欠き１３ｈに係合することにより支持装置本体１３は下方側に抜け落ちることなく保持される。
【００２５】
次いで、図１０に示されるように、支持装置本体１３の開口１３ｆからボルト２７，２７を挿入し、ベース金物１２のボルト孔１２ｃに螺入することにより支持装置本体１３とベース金具１２とを完全に一体化する。また、前記開口１３ｆからパネル受け台１６をパネル受け台設置空間１３ｅに設置する。前記パネル受け台１６は、断面Ｌ字状を成す小片部材であり、鉛直フランジ部１６ａと水平フランジ部１６ｂとを有し、前記鉛直フランジ部１６ａの背面側に上下２段で半円弧状の摺接凸部１６ｃ、１６ｃを有する。また、水平フランジ１６ｂはパネルＰの隅部下端が載置される面となる。
【００２６】
パネルＰ、Ｐの取付は、図４〜図６に示されるように、上段側パネルＰの下端隅部を前記パネル受け台１６の上面に載置するとともに、下段側パネルＰの上端隅部を前記パネル受け台１６との間にスペースＳを空けた状態で配置したならば、図６に示されるように、支持装置本体１３の支持部材１３ｇに対して４枚のパネルＰ、Ｐ…の各コーナー部に跨るようにパネル押え板１７を取り付けるようにする。このパネル押え板１７は、矩形状板材の裏面側に、左右一対のＬ字状片１７ａ、１７ａによって縦方向の溝状ポケット１７ｂが形成された部材であり、前記支持部材１３ｇのフランジ部１３ｉの前面に形成されたビスポケットに対して下面側から落下防止用ビス１８を螺入しておき、前記フランジ部１３ｉにパネル押え板１７の溝状ポケット１７ｂを嵌合させ上方側から落とし込むことにより設置される。また、前記支持装置本体１３の室外側面と前記パネル押え板１７との間の空間部分は、バックアップ材１９及びシール材２０が充填される。また、各パネルＰ、Ｐ間の縦目地及び横目地間にもシール２１が充填される。
【００２７】
一方、前記室内側斜材連結金物３は、図１１に示されるように、前記室内側ケーブル６に固定される圧着部材１０と、内部に前記圧着部材１０の収容空間が形成されるとともに、外面にネジ溝が形成され、前記圧着部材１０を囲繞するように設置されるとともに、設置状態で前記圧着部材１０の軸芯周りに回転自在に保持される接続用螺合金具１１と、この接続用螺合金具１１が螺合連結される連結金物本体２２とから構成されている。ここで、前記連結金物本体２２が本発明の並列配置部材を構成する。
【００２８】
前記圧着部材１０及び接続用螺合金具１１は、前記パネル支持装置２に使用されるものと同様であるため説明は省略する。
【００２９】
前記連結金物本体２２は、上下方向に貫通して前記接続用螺合金具１１の雌ネジ孔２２ａが形成され、室外側面の面に斜材４の連結のために左右一対のブラケット板２２ｂ，２２ｂが設けられている。
【００３０】
前記室内側ケーブル６に設けられた接続用螺合金具１１に前記連結金物本体２２を連結するには、同図１１に示されるように、予め室内側ケーブル６を連結金物本体２２の雌ネジ孔２２ａに挿通しておき、前記接続用螺合金具１１を連結金物本体２２の雌ネジ孔２２ａに回転させながら螺合させる。この際、前記接続用螺合金具１１の螺合進入量を調整することにより連結金物本体２２の上下方向位置の調整が成される。
【００３１】
前記パネル支持装置２と前記室内側斜材連結金物３とを連結する斜材４は、図５に示されるように、ロッド２３の両端部にそれぞれ接続ピース２４，２４が螺合連結された部材であり、長さ調整は前記接続ピース２４，２４の螺合量によってなされる。一方側の前記接続ピース２４を支持装置本体１３のブラケット板１３ｉ、１３ｉの間に挿入し、ボルト２５及びナット２６によって連結し、他方側の接続ピース２４を連結金物本体２２のブラケット板２２ｂ，２２ｂの間に挿入しボルト２５及びナット２６によって連結することにより、パネル支持装置２と室内側斜材連結金具３とが相互に連結される。
【００３２】
〔その他の形態例〕
(1)上記形態例では、室外側ケーブル５及び室内側ケーブル６のタイケーブルを対象としたが、タイロッド（棒材）に対しても全く同様に適用することが可能である。
(2)上記形態例では、鉛直方向に張設された室外側ケーブル５によって支持されるパネル支持装置２，２…、及び鉛直方向に張設された室内側ケーブル６によって支持される室内側斜材連結金具３、３…に対して、本発明に係る連結固定構造を適用した例を示したが、水平方向に配置される水平ケーブルと並列配置部材、図示例では水平タイロッド又はケーブル７及びパネル支持装置２に対して、本発明の連結構造を適用することも可能である。
【図面の簡単な説明】
【００３３】
【図１】カーテンウォールの室外側からの姿図である。
【図２】図１のII−II線矢視図である。
【図３】図１のIII−III線矢視図である。
【図４】要部拡大縦断面図である。
【図５】要部拡大横断面図である。
【図６】要部拡大斜視図である。
【図７】パネル支持装置２部分の組立て手順図（その１）である。
【図８】パネル支持装置２部分の組立て手順図（その２）である。
【図９】パネル支持装置２部分の組立て手順図（その３）である。
【図１０】パネル支持装置２部分の組立て手順図（その４）である。
【図１１】室内側斜材連結金物３部分の組立て要領図である。
【図１２】従来のタイロッド又はタイケーブルによる連結構造を示す全体斜視図である。
【図１３】その詳細斜視図である。
【図１４】横方向配置の無目をタイロッド又はタイケーブルで連結したカーテンウォール構造を示す縦断面図である。
【符号の説明】
【００３４】
１…カーテンウォール、２…パネル支持装置、３…室内側斜材連結金物、４…斜材、５…室外側ケーブル、６…室内側ケーブル、７…水平タイロッド又はタイケーブル、８・９…定着装置、１０…圧着部材、１１…接続用螺合金具、１２…ベース金具、１３…支持装置本体、１６…パネル受け台、１７…パネル押え板、Ｐ…パネル
【図１】
2006283477.tif 000003
【図２】
2006283477.tif 000004
【図３】
2006283477.tif 000005
【図４】
2006283477.tif 000006
【図５】
2006283477.tif 000007
【図６】
2006283477.tif 000008
【図７】
2006283477.tif 000009
【図８】
2006283477.tif 000010
【図９】
2006283477.tif 000011
【図１０】
2006283477.tif 000012
【図１１】
2006283477.tif 000013
【図１２】
2006283477.tif 000014
【図１３】
2006283477.tif 000015
【図１４】
2006283477.tif 000016